(57)【要約】【課題】気体弁蓋体を有する真空容器を提供する。【解決手段】本発明が提供する気体弁蓋体を有する真空容器は、蓋体が容器本体に対して滑動気密嵌合を提供し、蓋体は、内スリーブを含み、内スリーブは、蓋体の開口に近隣し、容器本体上部開口に近接する外スリーブと滑動気密嵌合を形成する。蓋体が容器上に組み込まれる時、蓋体は、空気を容器内から開放する気体弁を有する。蓋体は、容器本体上に組み込まれ、且つ気体弁が組み込まれ、開放状態を維持する時、空気を該容器内から開放し、容器内に真空密封嵌合状態又は部分真空状態を作る。蓋体を容器本体から取り除こうとする場合、気体弁は、開放状態を維持し、空気を容器内に進入させ、元の真空状態を壊す必要があるようにし、使用者は、気体弁が開放を持続する状態において、蓋体を容器から取り除くことができる。【選択図】図２
2011502898.tif 000002
【特許請求の範囲】
【請求項１】
容器本体と、容器本体上方に接続する蓋体と、を含み、
該容器本体上部に開口を開設し、該開口が外スリーブを巻き付けてなり、
該外蓋は、該容器本体の開口を密閉することに用い、該蓋体は、該蓋体上部に設置する気体弁及び内スリーブを有し、該内スリーブは、該容器本体の外スリーブと緊密接合し、且つ該外スリーブに対して気密嵌合を提供し、これにより、該蓋体を該容器本体上に被せる時、該蓋体の気体弁を開放し、空気を該気体弁により容器本体内から放出して、真空密封状態を製造するようにし、容器本体内に少なくとも部分辛苦状態を発生させる必要があるようにし、蓋体が該容器本体上に被せられる時、気体弁を開放し、空気を該容器本体内に進入させ、真空密封状態を開放して、蓋体を容器本体から取り除く必要があるようにした真空密封容器。
【請求項２】
前記外スリーブは、徐々に縮小する錘状上部を含み、該徐々に縮小する錘状上部は、該容器本体の上部開口周囲に近接し、且つ該徐々に縮小する錘状上部は、該容器本体の上部開口に近隣する箇所で比較的狭い状態を呈し、該蓋体を該容器本体外縁に沿って下向きに対応する円柱部位まで簡易に滑動できるようにし、該蓋体が該気体弁により該容器本体の円柱部位に被せられるようにした請求項１に記載の真空密封容器。
【請求項３】
更に、該外スリーブの一面に設置される少なくとも１つの凸部、及び該蓋体の底部に開設する少なくとも１対の相対するＬ形開口を含み、該蓋体が該容器本体に組み込まれ、一辺が該気体弁を駆動する時、該Ｌ形開口の垂直段は、該凸部と対応して接続し、該凸部が該垂直段に沿って該Ｌ形開口の水平段に到達する時、該蓋体は、該凸部を該水平段に完全に嵌合し、該容器本体を該蓋体と固定し、該蓋体により持ち上げることができようにし、該蓋体を他方向に回転し、該Ｌ形開口の垂直段を該容器本体の凸部と対応させ、該気体弁が駆動時、該蓋体が持ち上げられ、該蓋体を該容器本体と分離できるようにした請求項２記載の真空密封容器。
【請求項４】
更に、該蓋体に設置される把手を含み、該把手は、該蓋体及び該容器本体を取り付け又は分離することに用い、該把手は、該気体弁に近隣し、使用者が該把手を掴持する時、該気体弁を同手で駆動し、且つ該把手を利用し、該容器本体を持ち上げることができるようにした請求項２記載の真空密封容器。
【請求項５】
前記蓋体は、空心柱状であり、且つ該蓋体は、扁平上部有し、該気体弁は、該蓋体の一側且つ該蓋体上部に近隣する位置に設置され、複数の密封容器は、上下相互に堆積できるようした請求項２に記載の真空密封容器。
【請求項６】
前記気体弁は、該蓋体内に形成される流路、及び該蓋体に開設する気孔と、該流路に接続するバルブと、該気孔により該バルブと接続する底部塞栓と、該バルブ及び該塞栓に係止されるバイアス装置と、を含み、
該気孔は、該流路と相通し、気体を該流路を介して該容器本体中に進入できるようにし、
該バルブは、該気体弁を起動することに用いる上端部と、該バルブから該流路に延伸する中空柱体と、を含み、該中空柱体の側壁に複数の開口を開設し、該バルブは、該蓋体と接続する少なくとも１つの突出部材を含み、該バルブが該流路中に滑り込むことを防止することに用い、
該底部塞栓は、該気孔を覆うことに用い、空気を塞ぐ扁平平面、及び該底部塞栓から上向きに延伸するシャフトを有し、該シャフトの上端は、拡大し且つ一部が徐々に縮小する頭部であり、該シャフトは、該気孔に貫通設置され、活該バルブの中空柱体中に挿入され、該頭部は、該中空柱体の側壁開口から突出し、該底部塞栓を該バルブとロックさせ、
該バイアス装置は、該バルブにバイアスを加え、該バルブ部分を該蓋体に突出し、該塞栓を係止し、該塞栓に該蓋体を係止させ、該気孔を通常状況下で密封状態にし、空気が気孔から通過することを防止し、該塞栓が使用者の押圧により開放され、空気を通過させるようにした請求項１に記載の真空密封容器。
【請求項７】
前記バイアス装置は、バネを含む請求項６に記載の真空密封容器。
【請求項８】
更に、複数の水平に置かれた真空密封容器を垂直に堆積させ、垂直堆積アレイを呈させることに用いるラックを含み、該ラックは、複数の容器指示構造を含み、各容器指示構造は、水平に間隔を置き、且つ相互に対応する一対の支持構造を含み、該支持構造は、装置により安定して接続され、各支持構造は、棒状体を含み、各棒状体は、該真空密封容器底部の上表面及び該真空密封容器上部寄りの下表面を支持することに用い、該容器支持構造を最底部の真空密封容器の下、且つ垂直に堆積する各真空密封容器間に定位させる請求項１に記載の真空密封容器。
【請求項９】
前記各支持構造が補助支持部材を含み、該補助支持部材は、そのうち１つの支持構造の後端辺縁から突出し、該補助支持構造は、該真空密封容器の底部辺縁を収容し且つ支持することに用い、該真空密封容器が堆積アレイの後端に向かって滑動することを防止し、該真空密封容器が垂直堆積状態を呈する時に該蓋体を該真空密封容器上に組み込むか、該真空密封容器から取り除き、該真空密封容器内の内容物を取得できるようにする請求項８に記載の真空密封容器。
【発明の詳細な説明】
【技術分野】
【０００１】
本発明は、蓋体であり、特に容器上で滑動気密可能な蓋体であり、該蓋体は、空気を容器から通過させることができる気体弁を有する。該蓋体は、容器本体上に覆うように組み込まれ、且つ該気体弁が組み込まれる際、開放状態に維持する時、空気は、容器内に開放され、従って、該蓋体が完全に容器上に組み込まれる時、該蓋体は、容器に対して緊密な真空気密を提供でき、容器内に少なくとも一部に真空密封状態を呈させる。該蓋体を容器上から取り除こうとすバルブ、気体弁を開け、空気を容器内に進入させ、真空状態を解除して始めて、使用者が気体弁を開ける時に、蓋体を容器から取り除くことができる。
【背景技術】
【０００２】
真空又は半真空状態を呈する密閉容器内は、空気を流動が比較的少なく、内部に保存する物品を腐敗し難くする。従来技術の密閉容器は、螺子ロック式蓋体に取って代わる簡易に滑動する蓋体の真空密閉構造、及び真空ポンプに取って代わる簡易な気体弁装置を提供することができない。
【０００３】
出願人が知る最も近い従来技術は、出願人の米国特許第５，３９７，０２４であり、Ｗｕ等により発明される。該蓋体は、内圧の気体弁を含み、空気を蓋体から進入させるか蓋体から放出させることができる。しかしながら、該気体弁構造は、螺子が栓に固定され、且つ該蓋体と接続し、該気体弁構造及び蓋体の脱離を防止することに用いられる。また、該金属材質の螺子は、蓋体の開口を緊密に密閉することができないので、ゴム輪及びパッドリングを使用し、螺子と接続し、蓋体の開口を完全な密封を得る。また、栓の内ねじ山は、金属螺子と固定することにより損壊し易い。本発明は、前記従来の容器蓋体の欠陥を改善する。
【０００４】
他の関連従来技術は、米国特許５，６９７，５１０号であり、Ｗａｎｇ等が発明し、且つ１９９７年１２月１６日に登録査定となっている。５，６８７，５１０は、容器を開示し、該容器は、上開口に被せる蓋体を含む。該蓋体は、開口及び溝を開設する。回転バルブが該溝に設けられる。該回転バルブは、管体を有し、該管体は、２つの肩部を設ける。２つのフック部を有する塞栓を有し、該塞栓のフック部及び管体の２つの肩部と接続し、該管体上に塞栓を固定する。バネは、回転バルブ及び塞栓間に係止され、該回転バルブを部分的に蓋体から突出させ、該塞栓を係止し、該塞栓を蓋体の開口に密封させる。該塞栓は、プラスチック材質で形成し、金属材質に取って代わることができる。
【０００５】
該従来技術の特許は、使用者に容器を持ち上げ易くし、複数の容器を相互に堆積させる装置を提供することができず、蓋体を堅固に容器上に固定できる方法を提供してもいない。
【０００６】
従って、気密滑動嵌合部材、及び気体弁を有し、容器上の蓋体を精確に被せ設ける必要があり、該蓋体を容器上に装着し、容器内の真空密封又は部分真空状態を作り、蓋体上に回転ロック及び把手を設け、該把手が該気体弁の近隣にあり、容器を該把手により持ち上げさせることができる。
【先行技術文献】
【特許文献】
【０００７】
【特許文献１】米国特許第５，３９７，０２４号明細書
【特許文献２】米国特許第５，６９７，５１０号明細書
【発明の概要】
【発明が解決しようとする課題】
【０００８】
本発明の目的は、緊密且つ精確に容器上に被せ設けることができ、滑動気密嵌合部材及び気体弁を有する蓋体を提供し、該滑動気密嵌合部材及び該気体弁により、該蓋体を容器に装着する時、容器内で真空又は部分真空状態を呈することができるようにすることである。
【０００９】
本発明のもう１つの目的は、円柱状の内壁を有する容器蓋体及び容器を提供し、該容器は、開口寄りの外表面が蓋体の円柱状内壁と相対し、且つ蓋体と組み合わさる円柱形外表面であり、該円柱状外表面は傾斜を呈し徐々に縮小する錘状上部を有し、該上部は、容器開口の上辺縁は、比較的小さい直径であり、該上部は、上から下へ外向きに垂直柱状部を延伸し、且つ容器開口の辺縁と一定間隔を有し、該蓋体を開口の辺縁に沿って簡易に相対する柱状部に被せることができるようにし、該蓋体を柱状部に組み込むために該気体弁が必須であるようにすることである。
【００１０】
本発明のもう１つの目的は、更に、蓋体の回転ロック及び把手を含む蓋体及び容器を提供し、該把手は、気体弁に近隣する位置に設置され、該容器は、該把手により持ち上げることができるようにすることである。
【００１１】
本発明のもう１つの目的は、容器に対して滑動真空嵌合できる蓋体を提供し、そのうち、該気体弁は、該蓋体側部の該蓋上方に近隣する位置に設置され、且つ該蓋体の上方は、扁平状を呈し、蓋体と組み合わさる複数の容器は、相互に堆積し１つになることができるようにすることである。
【００１２】
本発明のもう１つの目的は、該容器に用いる複数の支持構造モジュールを提供し、該支持構造モジュールは、複数の真空密封容器を垂直堆積させることができるラックシステムを形成するようにすることである。
【００１３】
本発明のもう１つの目的は、螺子部材を使用せずに、該容器に用いることができる蓋体を提供することである。
【課題を解決するための手段】
【００１４】
容器に用いる蓋体であって、該蓋体は、該容器本体に対して滑動気密嵌合を提供し、該蓋体は、内スリーブを含み、該内スリーブは、該蓋体の開口に近隣し、該容器本体上部開口に近接する外スリーブと滑動気密嵌合を形成する。該蓋体が該容器上に組み込まれる時、該蓋体は、空気を容器内から開放する気体弁を有する。該蓋体は、容器本体上に組み込まれ、且つ該気体弁が組み込まれ、開放状態を維持する時、空気を該容器内から開放し、該容器内に真空密封嵌合状態又は部分真空状態を創造する。蓋体を該容器本体から取り除こうとする場合、気体弁は、開放状態を維持し、空気を該容器内に進入させ、元の真空状態を壊す必要があるようにし、使用者は、気体弁が開放を持続する状態において、蓋体を該容器から取り除くことができる。把手は、該気体弁に近隣する位置に設置され、使用者が片手で該把手を握り、同手の親指で該気体弁を押し、該蓋体を取り除く、又は組み込むことができる。
【００１５】
該蓋体を該容器上に更に堅固に固定する場合、少なくとも１対の凸部が該容器外スリーブの相反する両側に延伸され、該凸部及び該蓋体底部辺縁のＬ形開口が対応して接続し、該蓋体を該容器上にロックさせる。
【００１６】
特殊な双面支持構造は、該真空密封用器の上部上方、及びその底部の下方に接続し、複数の支持構造を複数の真空密封用器を垂直に堆積させることに用いることができる。
【発明の効果】
【００１７】
本考案が提供する蓋体は、緊密且つ精確に容器上に被せ設けることができ、滑動気密嵌合部材及び気体弁を有し、該滑動気密嵌合部材及び該気体弁により、該蓋体を容器に装着する時、容器内で真空又は部分真空状態を呈することができる。
【図面の簡単な説明】
【００１８】
【図１】本発明の真空密封容器の容器本体、蓋体、気体弁の立体分解図であり、且つ各部材がアセンブリとして配置される。
【図２】図１の真空密封容器の蓋体のロック部材及び該蓋体が該容器本体上に組み込まれた立体図である。
【図３】本発明の真空密封容器の図５の線段３−３の部分断面図であり、そのうち、該蓋体は、該容器本体上に密封する。
【図４】本発明の真空密封容器の図５の線段３−３の部分断面図であり、そのうち、該蓋体は、該容器本体から除去し、同時に該気体弁が押圧され、該蓋体の回転が該固定装置を開放することを示す。
【図５】本発明の真空密封容器の立体図であり、使用者が片手で同時に把手を持ち、該気体弁を押圧することを示す。
【図６】本発明のラックシステムの支持構造立体図であり、該ラックシステムは、複数の本発明の真空密封容器を垂直に堆積することに用いる。
【図７】本発明の真空密封容器が図６の支持構造を利用し、垂直堆積アレイを呈する立体図である。
【図８】本発明の真空密封容器が扁平蓋体を有し、該気体弁が蓋体の側辺に設置される他の実施例の立体図である。
【図９】図８の蓋体の部分断面図であり、該蓋体が上開口寄りの箇所に徐々に縮小する錘状上部を有する容器本体と組み合わさることを示す。
【図１０】図８の扁平上部を有する蓋体の部分断面図であり、該蓋体は、上開口寄りの箇所に徐々に縮小する錘状上部を有する容器本体と組み合わさる。
【図１１】図１の蓋体の部分断面図であり、該蓋体は、把手及び開放バルブを有し、該蓋体が上開口寄りの箇所に徐々に縮小する錘状上部を有する容器本体と組み合わさることを示す。
【図１２】図１の蓋体の部分断面図であり、該蓋体は、把手及び開放バルブを有し、該蓋体は、上開口寄りの箇所に徐々に縮小する錘状上部を有する容器本体と組み合わさる。
【発明を実施するための形態】
【００１９】
図１〜図１２は、真空密封容器９を示し、該真空密封容器９は、容器本体１０及び該容器本体１０上に接続する蓋体２０を含み、該容器本体１０の上端は、外スリーブ１２により囲われる開口１１、を含み、該蓋体２０は、該容器本体１０の開口１１に被さり、該容器本体１０に真空密封を呈させる。
【００２０】
該蓋体２０の該容器本体１０上方に位置する上方は、気体弁３０及び内スリーブ２２を含み、該内スリーブ２２は、該外スリーブ１２に対応して設けられ、且つ該外スリーブ１２に対して気密力を発生し、従って、該気体弁３０が開放状態を保持する必要があり、該蓋体２０を該容器本体１０上に被せることができるようにし、空気が該気体弁３０により容器内から開放され、真空密封状態を製造し、該容器本体１０内を少なくとも部分真空状態にし、例えば、図２，図３，図５，図８，図１０，図１２に示すようである。従って、該蓋体２０を該容器本体１０から取り除く時、該気体弁３０を開放し、空気を該容器本体１０内に進入させ、その真空状態を開放し、例えば、図１，図４，図９，図１１に示すようである。
【００２１】
図１の立体細部分解図Ａに示すように、該バルブを有する気体弁３０は、該蓋体２０内に形成される流路２１及び該蓋体２０に設置される気孔２１１を含み、該気孔２１１は、該流路２０と導通し、空気を該流路２１に通過させ、該容器本体１０内に進入させることができる。図３に示すように、該バルブ３０は、該流路２１に滑動的に接続することができ、且つ該バルブ３０の上部は、部分的に該蓋体２０から突出し、該バルブ３０が該気体弁を起動することができる。中空柱体３１は、該バルブ３０から該流路に延伸する。該中空柱体３１の側壁に開口３１１を開設する。該バルブ３０は、該蓋体２０と接続し、該バルブが該流路２１に滑り込むことを防止することに用いる４つの突出部材３３を含む。
【００２２】
底部塞栓４０は、該気孔２１１により、上方に位置する該バルブ３０と接続し、該底部塞栓４０は、該気孔２１１を塞ぐことに用い、気体を阻止する扁平上面を有する。シャフト４１は、底部塞栓４０から上向きに延伸し、該シャフト４１の上端は、拡大し、且つ部分が徐々に縮小する頭部４１１を呈する。該シャフト４１は、該バルブ３０の中空柱体３１中に挿入設置され、且つ該頭部４１１は、該中空柱体３１の側壁開口３１１から突出し、該底部塞栓４０を該気孔２１１により該バルブ３０とロック固定させ、該塞栓４０を簡易且つ人族に該バルブ３０と接続する。螺旋バネ３５は、該中空柱体３１と接続し、且つ該螺旋バネ３５は、該バルブ３０及び該塞栓４０間に係止設置され、該バルブ３０を押圧し、該バルブ３０の一部を蓋体２０から突出させ、該塞栓４０を係止し、該塞栓４０を該気孔２１１に被せ、図３に示すように、該蓋体２０の開口２１１を通常状態で密封状態になり、空気が気孔２１１から該塞栓４０に進入することを防止し、使用者により押圧され、空気を気孔２１１から進入させることができるように開放する。
【００２３】
本考案の動作方式は、図４に示すようであり、該バルブ３０が流路２１に向けて王圧される時、該塞栓４０が気孔２１１から分離し、気孔２１１に開放状態を呈させ、空気を該蓋体２０の気孔２１１から進入、排出させる。
【００２４】
本考案の塞栓４０は、簡易にモジュールとして製造でき、且つプラスチック材質により一般のロック用の螺子の金属材質に取って代わることができる。また、該塞栓４０は、該バルブ３０と簡易且つ迅速に固定することができる。また、該塞栓４０自身は、該気孔２１１に緊密に被さることができる。
【００２５】
該バルブ３０及び該塞栓４０間に設置され、該バルブ３０を部分的に該蓋体２０から突出させ、且つ該塞栓４０を該蓋体２０に係止するバイアス装置は、バネ３５であることができるが、これに限定するものではない。
【００２６】
該蓋体２０は、更に該外スリーブ１２側辺に設置される少なくとも１つの凸部１３により該容器本体１０と固定される。該少なくとも１つの凸部１３は、該蓋体２０底部辺縁に開設される少なくとも１つの相対するＬ形開口２３と相互に接続する。該蓋体２０は、容器本体１０上に装着される時、一辺が該気体弁３０を駆動し、一辺が各Ｌ形開口２３の垂直段２４を該相対する凸部１３と接続させ、該凸部１３がＬ形開口２３の水平段２５に到達する時、該蓋体２０は、該凸部１３が該水平段２５中に完全に挿入されることができるように回転し、該蓋体２０は、該容器本体１０と固定され、該容器本体１０を該蓋体２０により持ち上げられるようにし、図５に示すようである。該蓋体２０は、他方に回転し、該Ｌ形開口２３の垂直段２４を該凸部１３と対応させ、従って、一辺が該気体弁３０を起動する時、該蓋体２０は、該容器本体１０から取り除かれることができ、図４に示すようである。
【００２７】
把手５０は、該蓋体２０の上部から延伸し、該把手５０は、該蓋体２０との間に掴持空間５１を形成し、該把手５０を掴持することにより該蓋体２０を操作し、該容器本体１０上に組み込むか、該蓋体２０を該容器本体１０上から取り除く。図５に示すように、該把手５０は、該気体弁３０に近隣する位置に設置され、使用者の手指が該把手５０を掴持し、親指が該気体弁３０を押圧する。使用者は、同手で把手５０を掴持し、該気体弁３０を起動することができる。該蓋体２０が該容器本体１０上に堅固に固定される時、該蓋体２０に設置する把手５０は、該容器本体１０を持ち上げることに用いることもでき、図５に示すようである。
【００２８】
図６及び図７に示すように、本考案の真空密封容器は、更に複数の真空密封容器を垂直に堆積することに用いるアレイを含み、図７に示すように、各真空密封容器９は、水平に置かれ、垂直に堆積したアレイを呈する。該ラック７０は、複数の容器支持構造６０を含み、各容器支持構造６０は、少なくとも１対の水平に間隔を置いて設けられる支持構造６１を含み、該支持構造６１間は、一対のホゾ６２により相互に接続するか、その他の装置を利用し、該支持構造６１を相互にしっかりと接続する。各支持構造６１は、棒状体を含み、該棒状体は、上表面６４及び下表面６５を有する。該上表面は、該真空密封容器９の底部に接続し、支持することに用い、該上表面６５は、該真空密封容器９の上部に係止することに用い、従って、該容器支持構造６０は、垂直に堆積したアレイの最底部に位置する真空密封容器９の下設置され、それぞれ垂直に堆積する真空密封容器９間に隣接し、図７に示すようである。
【００２９】
各容器支持構造６０は、更に補助支持部材６３を含み、該補助支持部材６３は、該支持構造６１中の後端辺縁から突出する。該補助支持構造６２は、該真空密封容器９の底部辺縁を収容し且つ支持し、真空密封容器９が堆積陳列した後端に滑動することを防止し、図７に示すようであり、従って、真空密封容器９が垂直堆積状態を呈する時、該蓋体２０を該真空密封容器９上に組み込むか、該真空密封容器９から取り除き、真空密封容器９内の内容物を取得することができる。
【００３０】
図８に示すように、図１に示す蓋体２０は、把手５０及び開放バルブ３０を有する。該蓋体２０は、容器本体１０Ａに組み込むことに用いる。該容器本体１０Ａの円柱部１２Ｂは、容器本体１０Ａ上寄りの開口辺縁１１は、徐々に縮小する錘状上部１２Ａを有し、該蓋体２０は、該辺縁１１に沿って該徐々に縮小する錘状頭部１２Ａを介して該相対する円柱部１２Ｂに被せられ、該蓋体２０を該円柱部１２Ｂに被せようとする時、該気体弁３０が必要である。
【００３１】
図９に示すように、図８が開示する円柱状蓋体２０は、該徐々に縮小する錘状上部１２Ａを有する円柱部１２Ｂ上に組み込まれる。
【００３２】
図１０に示すのは、本考案の真空密封容器９Ａの他の実施例である。本実施例に老いて、該真空密封容器９Ａの気体弁３０は、該蓋体２０Ａの側辺に設置される。該気体弁は、該蓋体２０Ａの上部に近隣し、且つ該蓋体２０Ａの上部７は、扁平面であり、従って、該容器本体１０の底部８を他の真空密封容器９Ａの蓋体２０の上部７上に堆積することができ、複数の真空密封容器９Ａを相互に堆積することができる。
【００３３】
図１１に示すように、図１０に開示する蓋体２０Ａは、容器本体１０Ａに組み込むことに用いる。該容器本体１０Ａの円柱部１２Ｂは、開口辺縁１１寄りに徐々に縮小する錘状頭部１２Ａを有し、該円柱状内壁２２を有する蓋体２０Ａに該容器本体１０Ａ上に容易に被せることができるようにし、且つ該円柱部１２Ｂの円柱形外部は、該蓋体２０Ａの円柱状内壁２２に精確に対応し、該蓋体２０Ａを該円柱部１２Ｂに被せる。該円柱形外部を有する円柱部１２Ｂは、傾斜を呈する徐々に縮小する錘状上部１２Ａを有し、該徐々に縮小する錘状上部１２Ａの該容器本体１０Ａ上の開口に近隣する辺縁１１は、比較的小さな直径であり、該上部１２Ａは、上から下へ垂直柱状の円柱部１２Ｂを延伸し、且つ該円柱部１２Ｂは、該容器本体１０Ａの開口の辺縁１１と一定間隔を有し、該蓋体２０Ａは、開口の辺縁１１及び該徐々に縮小する錘状上部１２Ａに沿って下向に相対する該円柱部１２Ｂまで簡易に被せることができる。
【００３４】
図１２において、図１０が開示する扁平本体２０は、該容器本体１０Ａ上に被せられる。
【００３５】
本発明の真空密封容器９は、各種異なる規格寸法であることができ、大型の１０リットル規格を含み、任意の内容物を収容し、内に収容する内容物が真空保存された状態を維持する。
【００３６】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００３７】
９  真空密封容器
９Ａ  真空密封容器
１０  容器本体
１０Ａ  容器本体
１１  開口
１２  外スリーブ
１２Ａ  徐々に縮小する錘状上部
１２Ｂ  円柱部
１３  凸部
２０  蓋体
２０Ａ  蓋体
２１  流路
２１１  気孔
２２  内スリーブ
２３  Ｌ形開口
３０  気体弁
３１  中空柱体
３１１  開口
３３  突出部材
３５  螺旋バネ
４０  塞栓
４１  シャフト
４１１  頭部
５０  把手
５１  掴持空間
６０  容器支持構造
６１  支持構造
６２  ホゾ
６３  支持部材
７０  ラック
【図１】
2011502898.tif 000003
【図２】
2011502898.tif 000004
【図３】
2011502898.tif 000005
【図４】
2011502898.tif 000006
【図５】
2011502898.tif 000007
【図６】
2011502898.tif 000008
【図７】
2011502898.tif 000009
【図８】
2011502898.tif 000010
【図９】
2011502898.tif 000011
【図１０】
2011502898.tif 000012
【図１１】
2011502898.tif 000013
【図１２】
2011502898.tif 000014
【手続補正書】
【提出日】平成22年5月26日(2010.5.26)
【手続補正１】
【補正対象書類名】明細書
【補正対象項目名】００１８
【補正方法】変更
【補正の内容】
【００１８】
【図１】本発明の真空密封容器の容器本体、蓋体、気体弁の立体分解図であり、且つ各部材がアセンブリとして配置される。
【図２】図１の真空密封容器の蓋体のロック部材及び該蓋体が該容器本体上に組み込まれた立体図である。
【図３】本発明の真空密封容器の図５の部分断面図であり、そのうち、該容器本体から除去し、同時に該気体弁が押圧され、該蓋体の回転が該固定装置を開放することを示す。
【図４】本発明の真空密封容器の部分断面図であり、そのうち、該蓋体は、該容器本体上に密封される。
【図５】本発明の真空密封容器の立体図であり、使用者が片手で同時に把手を持ち、該気体弁を押圧することを示す。
【図６】本発明のラックシステムの容器支持構造立体図であり、該ラックシステムは、複数の本発明の真空密封容器を垂直に堆積することに用いる。
【図７】本発明の真空密封容器が図６の容器支持構造を利用し、垂直堆積アレイを呈する立体図である。
【図８】図1の蓋体の部分断面図であり、該蓋体が把手及び気体弁を有し、該蓋体が上開口寄りの箇所に徐々に縮小する錘状上部を有する容器本体と組み合わさろうとすることを示す。
【図９】図１の蓋体の部分断面図であり、該蓋体が把手及び気体弁を有し、上開口寄りの箇所に徐々に縮小する錘状上部を有する容器本体と組み合わさる。
【図１０】本発明の真空密封容器が扁平蓋体を有し、該気体弁が蓋体の側辺に設置される他の実施例の立体図である。
【図１１】図１０の蓋体の部分断面図であり、該蓋体が上開口寄りの箇所に徐々に縮小する錘状上部を有する容器本体と組み合わさろうとすることを示す。
【図１２】図１０の扁平上部を有する蓋体の部分断面図であり、該蓋体は、上開口寄りの箇所に徐々に縮小する錘状上部を有する容器本体と組み合わさる。
【手続補正２】
【補正対象書類名】明細書
【補正対象項目名】００２１
【補正方法】変更
【補正の内容】
【００２１】
図１の立体細部分解図Ａに示すように、該バルブを有する気体弁３０は、該蓋体２０内に形成される流路２１及び該蓋体２０に設置される気孔２１１を含み、該気孔２１１は、該流路２０と導通し、空気を該流路２１に通過させ、該容器本体１０内に進入させることができる。図３に示すように、該バルブは、該流路２１に滑動的に接続することができ、且つ該バルブの上部は、部分的に該蓋体２０から突出し、該バルブが該気体弁を起動することができる。中空柱体３１は、該バルブから該流路に延伸する。該中空柱体３１の側壁に２つ以上の開口３１１を開設する。該バルブは、該蓋体２０と接続し、該バルブが該流路２１に滑り込むことを防止することに用いる４つの突出部材３３を含む。
【手続補正３】
【補正対象書類名】明細書
【補正対象項目名】００２２
【補正方法】変更
【補正の内容】
【００２２】
底部塞栓４０は、該気孔２１１により、上方に位置する該バルブと接続し、該底部塞栓４０は、該気孔２１１を塞ぐことに用い、気体を阻止する扁平上面を有する。シャフト４１は、底部塞栓４０から上向きに延伸し、該シャフト４１の上端は、拡大し、且つ部分が徐々に縮小する頭部４１１を呈する。該シャフト４１は、該バルブの中空柱体３１中に挿入設置され、且つ該頭部４１１は、該中空柱体３１の側壁開口３１１から突出し、該底部塞栓４０を該気孔２１１により該バルブとロック固定させ、該底部塞栓４０を簡易且つ人族に該バルブと接続する。螺旋バネ３５は、該中空柱体３１と接続し、且つ該螺旋バネ３５は、該バルブ及び該底部塞栓４０間に係止設置され、該バルブを押圧し、該バルブの一部を蓋体２０から突出させ、該底部塞栓４０を係止し、該底部塞栓４０を該気孔２１１に被せ、図３に示すように、該蓋体２０の気孔２１１を通常状態で密封状態になり、空気が気孔２１１から該底部塞栓４０に進入することを防止し、使用者により押圧され、空気を気孔２１１から進入させることができるように開放する。
【手続補正４】
【補正対象書類名】明細書
【補正対象項目名】００２３
【補正方法】変更
【補正の内容】
【００２３】
本考案の動作方式は、図４に示すようであり、該バルブが流路２１に向けて王圧される時、該塞栓４０が気孔２１１から分離し、気孔２１１に開放状態を呈させ、空気を該蓋体２０の気孔２１１から進入、排出させる。
【手続補正５】
【補正対象書類名】明細書
【補正対象項目名】００２４
【補正方法】変更
【補正の内容】
【００２４】
本考案の底部塞栓４０は、簡易にモジュールとして製造でき、且つプラスチック材質により一般のロック用の螺子の金属材質に取って代わることができる。また、該底部塞栓４０は、該バルブと簡易且つ迅速に固定することができる。また、該底部塞栓４０自身は、該気孔２１１に緊密に被さることができる。
【手続補正６】
【補正対象書類名】明細書
【補正対象項目名】００２５
【補正方法】変更
【補正の内容】
【００２５】
該バルブ及び該底部塞栓４０間に設置され、該バルブを部分的に該蓋体２０から突出させ、且つ該底部塞栓４０を該蓋体２０に係止するバイアス装置は、バネ３５であることができるが、これに限定するものではない。
【手続補正７】
【補正対象書類名】明細書
【補正対象項目名】００２８
【補正方法】変更
【補正の内容】
【００２８】
図６及び図７に示すように、本考案の真空密封容器は、更に複数の真空密封容器を垂直に堆積することに用いるアレイを含み、図７に示すように、各真空密封容器９は、水平に置かれ、垂直に堆積したアレイを呈する。該ラック７０は、複数の容器支持構造６０を含み、各容器支持構造６０は、少なくとも１対の水平に間隔を置いて設けられる支持構造６１を含み、該支持構造６１間は、一対のホゾ６２により相互に接続するか、その他の装置を利用し、該支持構造６１を相互にしっかりと接続する。各支持構造６１は、棒状体を含み、該棒状体は、上表面６４及び下表面６５を有する。該上表面６４は、該真空密封容器９の底部に接続し、支持することに用い、該表面６５は、該真空密封容器９の上部に係止することに用い、従って、該容器支持構造６０は、垂直に堆積したアレイの最底部に位置する真空密封容器９の下設置され、それぞれ垂直に堆積する真空密封容器９間に隣接し、図７に示すようである。
【手続補正８】
【補正対象書類名】明細書
【補正対象項目名】００３０
【補正方法】変更
【補正の内容】
【００３０】
図８に示すように、図１に示す蓋体２０は、把手５０及び気体弁３０を有する。該蓋体２０は、容器本体１０に組み込むことに用いる。該容器本体１０の円柱部１２Ｂは、容器本体１０上寄りの開口１１辺縁は、徐々に縮小する錘状上部１２Ａを有し、該蓋体２０は、該開口１１に沿って該徐々に縮小する錘状頭部１２Ａを介して該相対する円柱部１２Ｂに被せられ、該蓋体２０を該円柱部１２Ｂに被せようとする時、該気体弁３０が必要である。
【手続補正９】
【補正対象書類名】明細書
【補正対象項目名】００３２
【補正方法】変更
【補正の内容】
【００３２】
図１０に示すのは、本考案の真空密封容器９の他の実施例である。本実施例において、該真空密封容器９の気体弁３０は、該蓋体２０の側辺に設置される。該気体弁は、該蓋体２０の上部に近隣し、且つ該蓋体２０の上部７は、扁平面であり、従って、該容器本体１０の底部８を他の真空密封容器９の蓋体２０の上部７上に堆積することができ、複数の真空密封容器９を相互に堆積することができる。
【手続補正１０】
【補正対象書類名】明細書
【補正対象項目名】００３３
【補正方法】変更
【補正の内容】
【００３３】
図１１に示すように、図１０に開示する蓋体２０は、容器本体１０に組み込むことに用いる。該容器本体１０の円柱部１２Ｂは、開口１１寄りの上辺縁に徐々に縮小する錘状上部１２Ａを有し、該円柱状内スリーブ２２を有する蓋体２０に該容器本体１０上に容易に被せることができるようにし、且つ該円柱部１２Ｂの円柱形外部は、該蓋体２０の円柱状内スリーブ２２に精確に対応し、該蓋体２０を該円柱部１２Ｂに被せる。該円柱形外部を有する円柱部１２Ｂは、傾斜を呈する徐々に縮小する錘状上部１２Ａを有し、該徐々に縮小する錘状上部１２Ａの該容器本体１０上の開口に近隣する辺縁１１は、比較的小さな直径であり、該上部１２Ａは、上から下へ垂直柱状の円柱部１２Ｂを延伸し、且つ該円柱部１２Ｂは、該容器本体１０Ａの開口１１の辺縁と一定間隔を有し、該蓋体２０は、開口１１の辺縁及び該徐々に縮小する錘状上部１２Ａに沿って下向に相対する該円柱部１２Ｂまで簡易に被せることができる。
【手続補正１１】
【補正対象書類名】明細書
【補正対象項目名】００３４
【補正方法】変更
【補正の内容】
【００３４】
図１２において、図１０が開示する扁平本体２０は、該容器本体１０上に被せられる。
【手続補正１２】
【補正対象書類名】特許請求の範囲
【補正対象項目名】請求項３
【補正方法】変更
【補正の内容】
【請求項３】
更に、該外スリーブの側辺に設置される少なくとも１つの凸部、及び該蓋体の底部に開設する少なくとも１対の相対するＬ形開口を含み、該蓋体が該容器本体に組み込まれ、一辺が該気体弁を駆動する時、該Ｌ形開口の垂直段は、該凸部と対応して接続し、該凸部が該垂直段に沿って該Ｌ形開口の水平段に到達する時、該蓋体は、該凸部を該水平段に完全に嵌合し、該容器本体を該蓋体と固定し、該蓋体により持ち上げることができようにし、該蓋体を他方向に回転し、該Ｌ形開口の垂直段を該容器本体の凸部と対応させ、該気体弁が駆動時、該蓋体が持ち上げられ、該蓋体を該容器本体と分離できるようにした請求項２記載の真空密封容器。
【国際調査報告】
2011502898.tif 000015
2011502898.tif 000016